(57)【要約】      （修正有）【課題】茶葉を擂潰し刃により挽く機能を有し、製造コストを低減するとともに、洗浄を容易にする茶器を提供する。【解決手段】上面開口４と注ぎ口２と蓋体１０を備えたポット本体１と、ポット本体の内側底面に配される表面を擂潰し刃面に形成した擂潰し板２０と、擂潰し板に対しその上面を囲むように着脱自在に配される網状の円筒からなる筒フィルター２２と、筒フィルターに内設されるとともに、下端が擂潰し板の擂潰し刃面に近接または摺接しながら回転軸３２により回転する回転ブレード３０と、回転ブレードの回転軸の下端が回転自在に挿入される擂潰し板の軸孔２１と、回転ブレードの回転軸の上端が回転自在に挿通される蓋体の軸孔１１と、蓋体を貫通した回転ブレードの回転軸の上端に取り付けられる回転摘み３３により構成する。【選択図】図１
0003189958.tif 000002
【実用新案登録請求の範囲】
【請求項１】
少なくとも上面開口と注ぎ口と蓋体を備えたポット本体と、ポット本体の内側底面に配される表面を擂潰し刃面に形成した擂潰し板と、擂潰し板に対しその上面を囲むように着脱自在に配される網状の円筒からなる筒フィルターと、筒フィルターに内設されるとともに、下端が擂潰し板の擂潰し刃面に近接または摺接しながら回転軸により回転する回転ブレードと、回転ブレードの回転軸の下端が回転自在に挿入される擂潰し板の軸孔と、回転ブレードの回転軸の上端が回転自在に挿通される蓋体の軸孔と、蓋体を貫通した回転ブレードの回転軸の上端に取り付けられる回転摘みを有することを特徴とする茶器。
【請求項２】
回転ブレードは下端が擂潰し板の擂潰し刃面に近接または摺接するとともに、周側が筒フィルター内周壁に近接または摺接する螺旋スクリュウ形状に構成される請求項１記載の茶器。
【請求項３】
蓋体に湯の注入穴を開口した請求項１または２記載の茶器。
【請求項４】
ポット本体と別体に構成した擂潰し板をポット本体の内側底面に固着した１から３の何れかに記載の茶器。
【請求項５】
擂潰し板はセラミックにより構成される請求項１から４の何れかに記載の茶器。
【請求項６】
多数の突起の集合により擂潰し板の擂潰し刃面を構成した請求項１から５の何れかに記載の茶器。
【請求項７】
鑢状の粗面により擂潰し板の擂潰し刃面を構成した請求項１から６の何れかに記載の茶器。
【考案の詳細な説明】
【技術分野】
【０００１】
この考案は茶葉から茶を煎じるための茶器に関し、より詳細には茶葉を擂潰し刃により挽く機能を有する茶器に関する。
【背景技術】
【０００２】
茶を煎じるための茶器として少なくとも上面開口と注ぎ口と蓋体を有し、内部に入れた茶葉を熱湯などで煎じるポット（急須）が普及している。
【０００３】
ところで、茶葉はその成分として、
・カテキン
・カフェイン
・水溶性ビタミンＢ１、Ｂ２、Ｃ
・サポニン
・アミノ酸
・水溶性の食物繊維  
・ビタミンA 、E 
・タンパク質
・脂質
・食物繊維  
〜などを含有している。
【０００４】
しかしながら、単に熱湯で煎じるだけでは、これらの成分の３０〜４０％程度しか摂取することができない。また、繰り返し煎じると色や味、香りが失せてしまうという問題もあった。
【０００５】
これらの問題に鑑み、茶葉を挽いた状態で煎じることにより前記の成分中の従来摂取できなかったものが摂取可能となることに着目し、急須の内壁に多数の微細な突起を突設することにより擂潰し刃とし、すりこぎとこの擂潰し刃により茶葉を挽くことを可能とした発明が提案されている（特許文献１）。
【０００６】
また、前記に加え、茶葉を挽いた状態で煎じることにより、繰り返し煎じても色や味、香りが喪失しないことに着目し、挽いた茶葉が茶とともに流出することを防止する発明も提案されている（特許文献２）。この発明は内部の底面と、底面より立上がった壁面に多数の凸刃を形成し、外部へ透水させる網目フィルターを複数箇所に付設した金属製の容器の上面開口部に、着脱自在に蓋を被せ、該蓋の中心部と前記容器の中心部とで軸支された回転軸に、擂潰し羽根を前記容器の内部に形成された凸刃に近接させて設けてなるものを、やかん状容器の上面開口部に着脱自在に装着した構成よりなる。
【先行技術文献】
【特許文献】
【０００７】
【特許文献１】特開平９−１０１１１号公報
【特許文献２】特開２００７−２０８５８０号公報
【考案の概要】
【考案が解決しようとする課題】
【０００８】
前記の特許文献２に記載の発明は、茶葉を挽いた状態で煎じることにより従来摂取できなかった成分が摂取可能となる点、やかん状容器内に収容される金属製の容器内で茶葉を挽くことにより挽いた茶葉が茶とともに流出することが防止されるので繰り返し煎じることができる点においてすぐれた発明である。
【０００９】
しかしながら、前記金属製の容器は、底面と、底面より立上がった壁面に多数の凸刃を形成するとともに、外部へ透水させる網目フィルターを複数箇所に付設するという複雑な構造からなるので、ポンチなどで突き出すことにより、容器の内側に多数の凸刃を形成する工程と、網目フィルターを複数箇所に別途設ける工程が必要となり、製造コストが嵩む問題があった。
【００１０】
また、金属製の容器は底を有するので、使用後に洗う際に底に溜まった茶葉の滓が取り除き難く、加えて容器の内側に突設された多数の凸刃にも茶葉の滓が絡みつきやすく、これを取り除き難いという問題もあった。そして、この場合、容器の内側には多数の凸刃が突設されているので、洗浄用のスポンジを使用できないという不具合もあった。
【課題を解決するための手段】
【００１１】
この考案は前記の課題に鑑みて創作された茶器に関するものである。すなわち、この考案の茶器は、少なくとも上面開口と注ぎ口と蓋体を備えたポット本体と、ポット本体の内側底面に配される表面を擂潰し刃面に形成した擂潰し板と、擂潰し板に対しその上面を囲むように着脱自在に配される網状の円筒からなる筒フィルターと、筒フィルターに内設されるとともに、下端が擂潰し板の擂潰し刃面に近接または摺接しながら回転軸により回転する回転ブレードと、回転ブレードの回転軸の下端が回転自在に挿入される擂潰し板の軸孔と、回転ブレードの回転軸の上端が回転自在に挿通される蓋体の軸孔と、蓋体を貫通した回転ブレードの回転軸の上端に取り付けられる回転摘みを有することを特徴とする。
【００１２】
また、請求項２記載の茶器は、前記の茶器において回転ブレードは下端が擂潰し板の擂潰し刃面に近接または摺接するとともに、周側が筒フィルター内周壁に近接または摺接する螺旋スクリュウ形状に構成されることを特徴とする。
【００１３】
また、請求項３記載の茶器は、前記の茶器において蓋体に湯の注入穴を開口したことを特徴とする。
【００１４】
また、請求項４記載の茶器は、前記の茶器においてポット本体と別体に構成した擂潰し板をポット本体の内側底面に固着したことを特徴とする。
【００１５】
また、請求項５記載の茶器は、前記の茶器において擂潰し板はセラミックにより構成したことを特徴とする。
【００１６】
また、請求項６記載の茶器は前記の茶器において、多数の突起の集合により擂潰し板の擂潰し刃面を構成したことを特徴とする。
【００１７】
また、請求項７記載の茶器は前記の茶器において、鑢状の粗面により擂潰し板の擂潰し刃面を構成したことを特徴とする。
【考案の効果】
【００１８】
以上の構成よりなるこの考案の茶器によれば、茶を煎じるためのポット内で茶葉を挽くことができるので、従来摂取できなかった茶葉の成分も摂取可能となる効果を奏する。
【００１９】
また、茶葉は筒フィルター内で挽かれるので、挽いた茶葉が煎じた茶とともに流出することがなく、茶をそのまま繰り返し煎じることができる。そして、この場合、茶葉は挽いた状態で煎じることにより、繰り返し煎じても色や味、香りが喪失しないので何杯でも同じ味の茶を楽しめる効果を奏する。本願考案者の実験によれば、十煎目ぐらいまでは一煎目と変わらない色や味、香りを楽しめることが確認されている。
【００２０】
また、茶葉を挽いた状態で煎じるので、熱湯のみならず冷水でも茶を煎じることが可能となる効果を奏する。
【００２１】
一方、従来技術のような複雑な構造でなく、表面を擂潰し刃面に形成した擂潰し板と、その上面を囲むように着脱自在に配される網状の円筒からなる筒フィルターにより、茶葉を挽く容器を構成する簡易な構造なので製造コストを低く押さえることができる効果を奏する。
【００２２】
前記の場合、筒フィルターはポット内では下端が擂潰し板により閉塞されるが、ポットから取り外した状態では上下が開口した筒状になるので、網状であることも相まって洗いやすくい、洗浄用のスポンジも使用でき、茶葉の滓を容易に取り除ける効果を奏する。
【００２３】
また、請求項２に記載の考案のように、回転ブレードを下端が擂潰し板の擂潰し刃面に近接または摺接するとともに、周側が筒フィルター内周壁に近接または摺接する螺旋スクリュウ形状にした場合は、回転ブレードを茶を挽く方向と逆方向に回転させるとことにより、スクリュウにより茶葉が上方に上がってくるので茶葉を捨てやすい効果を奏する。
【００２４】
また、請求項３に記載の考案のように、蓋体に湯の注入穴を開口した場合は蓋を空けなくても湯を足せる効果を奏する。
【００２５】
また、請求項４に記載の考案のように、ポット本体と別体に構成した擂潰し板をポット本体の内側底面に固着する場合は、ポット自体には特別な加工を要しないので製造が容易となる。この場合、ポット本体および擂潰し板を別素材で構成することができるので、例えばポット本体は柔らかい陶器で、擂潰し板は請求項５に記載のような硬質のセラミックで構成することができ、ポット本体の素材の選択肢が広がる効果を奏する。
【図面の簡単な説明】
【００２６】
【図１】この考案の茶器の分解斜視図。
【図２】同上、ポット本体および擂潰し板の斜視図。
【図３】同上、ポット本体および擂潰し板の分解斜視図。
【図４】同上、蓋体を外した状態の斜視図。
【図５】同上、被蓋した状態の斜視図。
【図６】図５のＡ−Ａ線断面図。
【考案を実施するための形態】
【００２７】
以下、この考案の茶器の具体的実施例を添付図面に基づいて説明する。図１はこの考案の茶器の分解斜視図である。この考案の茶器は既知のポットに茶葉を挽くための部材を内装したものである。図中符号１はそのためのポット本体であり、この実施例では上面開口４と注ぎ口２と蓋体１０を備え、さらに持ち手３も備えた急須形式のものを採用しているが、少なくとも上面開口と注ぎ口と蓋体を備えるものであれば形式は特に問わない。
【００２８】
前記のポット本体１の内側底面には後記するブレード３０と相まって茶葉を挽くための擂潰し板２０が設けられる。この擂潰し板２０は表面を擂潰し刃面に形成した円形のものであり、ポット本体１と同体に構成してもよいし、この実施例のようにポット本体と別体に構成してもよい。別体に構成した場合はポット本体１と擂潰し板２０を別素材により構成することが可能となり、ポット本体は陶器のように脆く柔らかい素材であっても、擂潰し板２０を例えばセラミックのように硬質で対磨耗性に富んだものとすることによりこの考案の効果を発揮できる茶器とすることができる。
【００２９】
前記の擂潰し板２０の表面は回転ブレード３０との間で茶葉を挽く擂潰し刃面に加工される。上記擂潰し刃面としてこの実施例では多数の突起の集合を採用しているが、茶葉を挽くことができれば形状は問わず、例えば鑢状の粗面により構成してもよい。
【００３０】
図中符号２２は前記の擂潰し板２０に対しその上面を囲むように着脱自在に配される筒フィルターである。この筒フィルター２２は網状の円筒からなるものであり、この実施例では上下に補強リング２２Ａ、２２Ｂを配した金網により構成している。
【００３１】
前記の筒フィルター２２と、その下端を閉塞する擂潰し板２０により茶葉を挽くための通水性を有する容器が構成され、この容器内には擂潰し板と相まって茶葉を挽く回転ブレード３０が内設される。この回転ブレード３０は下端が擂潰し板２０に穿設された軸孔２１に回転自在に挿入されるとともに、上端が後記する蓋体１０に穿設された軸孔１１に回転自在に挿通される回転軸３２の周側にブレード体３１を設けた構成よりなる。この実施例では上記ブレード体３１を下端が擂潰し板２０の擂潰し刃面に近接または摺接するとともに、周側が筒フィルター２２の内周壁に近接または摺接する螺旋スクリュウ形状に構成しているが、少なくとも擂潰し板と相まって茶葉を挽く機能を有するものであれば形状は問わない。
【００３２】
図中符号１０は蓋体である。この蓋体１０は下方に設けられた係合段部がポット本体１に設けられた係合段部に係合されることによりポット本体を被蓋するともに、軸孔１１により回転ブレード３０の回転軸３２の上端を軸支する機能を有する。図中符号３３は蓋体１０を貫通した回転ブレード３０の回転軸３２の上端に取り付けられる回転摘みである。なお、この実施例では蓋体１０に湯の注入穴１２を開口している。
【００３３】
以上の構成よりなるこの考案の実施例の茶器は、ポット本体１内の擂潰し板２０に筒フィルター２２を外嵌して、その内部に回転ブレード３０をセットした状態で筒フィルター２２内に茶葉を投入し、蓋体１０を被蓋するとともに回転軸３２の上端に回転摘み３３を取り付けることにより使用に供される。この場合、茶葉を挽くには螺旋スクリュウ形状のブレード体３１の下面と擂潰し板２０の擂潰し刃面間に位置する茶葉を押し潰すように回転ブレードを回転させる（図の紙面において時計回り方向）。そして、蓋体１０の注入穴１２よりポット内に湯を注ぐことにより茶が煎じられる。この場合、筒フィルターは網状に構成されているので、湯は通過しても中に収容された茶葉は外部に流れ出ることはない。
【００３４】
使用終了後は、回転ブレード３０を逆方向に回転させることにより茶葉はブレード体３１の上面に掬いあげられ螺旋に沿って順次上方に移動し、擂潰し板２０から引き離される。この機能は茶葉が上方に上がってくるので茶葉を捨てるに際し有用である。
【符号の説明】
【００３５】
１                ポット本体
２                注ぎ口
４                上面開口
１０              蓋体
１１              軸孔
２０              擂潰し板
２１              軸孔
２２              筒フィルター
３０              回転ブレード
３２              回転軸  
【図１】
0003189958.tif 000003
【図２】
0003189958.tif 000004
【図３】
0003189958.tif 000005
【図４】
0003189958.tif 000006
【図５】
0003189958.tif 000007
【図６】
0003189958.tif 000008
【手続補正書】
【提出日】平成26年1月29日(2014.1.29)
【手続補正１】
【補正対象書類名】実用新案登録請求の範囲
【補正対象項目名】請求項４
【補正方法】変更
【補正の内容】
【請求項４】
ポット本体と別体に構成した擂潰し板をポット本体の内側底面に固着した請求項１から３の何れかに記載の茶器。